(57)【特許請求の範囲】
【請求項１】
移動無線器（１４）によって、ラミネートパネル（２）の少なくとも１つの物理的および／または化学的特性を少なくとも定性的に決定するための方法であって、該方法は、以下の工程、すなわち、
ａ）前記移動無線器（１４）を前記ラミネートパネル（２）の表面（１０）に設けること、
ｂ）前記移動無線器（１４）に統合された計測器（２８）によって、少なくとも１つの物理的および／または化学的測定量を測定すること、
ｃ）前記測定された少なくとも１つの物理的および／または化学的測定量から、前記少なくとも１つの物理的および／または化学的特性を少なくとも定性的に決定すること、を有する、方法。
【請求項２】
前記少なくとも１つの物理的および／または化学的測定量を、異なる時点で、数回測定することを特徴とする、請求項１に記載の方法。
【請求項３】
異なるラミネートパネル（２）のための前記工程ａ）およびｂ）を実行し、かつ、前記少なくとも１つの物理的および／または化学的特性を、異なるラミネートパネル（２）において測定された複数の物理的および／または化学的測定量の比較によって、少なくとも定性的に決定することを特徴とする、請求項１または２に記載の方法。
【請求項４】
前記測定された物理的測定量は、前記移動無線器（１４）が前記表面（１０）と接触してなる接触面における前記ラミネートパネル（２）の温度であること、および前記移動無線器（１４）に統合された前記計測器（２８）は、温度計であることを特徴とする、請求項１ないし３のいずれか１項に記載の方法。
【請求項５】
前記ラミネートパネル（２）の、異なる時点で測定された温度から、前記ラミネートパネル（２）の熱伝導特性および／または断熱特性を決定することを特徴とする、請求項４に記載の方法。
【請求項６】
接触面における前記ラミネートパネル（２）の温度を、前記少なくとも１つの物理的および／または化学的測定量の測定前に、増加させることを特徴とすることを特徴とする、請求項１ないし５のいずれか１項に記載の方法。
【請求項７】
前記接触面における前記ラミネートパネル（２）の温度を、前記移動無線器（１４）の温度を増加させることによって、増加させることを特徴とする、請求項６に記載の方法。
【請求項８】
前記ラミネートパネル（２）の前記接触面における温度を、所定の時間に手を前記接触面上に置くことによって、増加させ、次に、前記移動無線器（１４）を前記接触面に設けることを特徴とする、請求項６または７に記載の方法。
【請求項９】
前記測定された物理的測定量は、前記移動無線器（１４）に統合されたマイクロフォンによって測定される音響信号の音響であり、前記音響の測定前に、前記音響信号を、前記移動無線器（１４）中で発生させることを特徴とする、請求項１ないし８のいずれか１項に記載の方法。
【請求項１０】
前記音響信号を、前記移動無線器（１４）の振動機能によって発生させることを特徴とする、請求項９に記載の方法。
【請求項１１】
前記音響信号を、前記接触面から所定の間隔をあけて、前記ラミネートパネル（２）の上面および／または下面へのノックによって発生させることを特徴とする、請求項９または１０に記載の方法。
【請求項１２】
異なる時点で測定された前記音響から、前記ラミネートパネル（２）の音伝導特性および／または遮音特性を決定することを特徴とする、請求項１０または１１に記載の方法。
【請求項１３】
前記少なくとも１つの物理的および／または化学的測定量を測定する際に、前記ラミネートパネル（２）からガス放出される物質量を測定することを特徴とする、請求項１ないし１２のいずれか１項に記載の方法。
【請求項１４】
プログラムコード手段を備えたコンピュータプログラムであって、該コンピュータプログラムは、このコンピュータプログラムが移動無線器のデータ処理ユニットで実行するとき、請求項１ないし１３のいずれか１項に記載の方法を実施するために構成されている、コンピュータプログラム。
【請求項１５】
統合された温度計、および／または統合されたマイクロフォン、および／または統合されたコンパス、および/またはカメラ、および／または他の計測器、および請求項１ないし１３のいずれか１項に記載の方法を実施するために設けられている電気制御装置を有する移動無線器（１４）。
【発明の詳細な説明】
【技術分野】
【０００１】
本発明は、移動無線器によって、ラミネートパネルの少なくとも１つの物理的および／または化学的特性を少なくとも定性的に決定するための方法および対応の移動無線器に関する。
【背景技術】
【０００２】
ラミネートパネルの物理的および／または化学的特性は、多くの分野で、顧客の購買決定にとって少なくとも決定的である。これらの物理的特性は、例えば熱伝導特性または断熱特性であってもよい。電磁界の遮蔽も、購買にとってかような決定的な物理的特性であり得る。
【０００３】
顧客の購買決定に影響を与えることのある化学的特性には、ラミネートパネルのガス放出特性が含まれる。ラミネートパネルの製造の際に使用される材料に従って、所定の物質、例えばホルムアルデヒドが、ラミネートパネルからガス放出することがあり得る。これらの物質は、健康に有害であることがあるので、ラミネートパネルから、これらの物質のどの位が放出されるのかという問題が、顧客にとって重大事である。当然ながら、他の物質も、ラミネートパネルから出ることがある。このことは、特に有機物質、例えば揮発性有機化合物（ＶＯＣ，volatile organic compounds）、しかし、場合によっては多かれ少なかれ有害な物質である他の物質も含む。
【０００４】
例えば、ラミネートフロアパネルは、今日では、多数の異なった要求を満たし、かつ、特性を有せねばならない。例えば、空間にラミネートフロアが敷かれているとき、このフロア上の歩行の際に、空間音響または歩行中の音響が生じる。このような音響は、ラミネートフロアを敷いた空間で聞かれる。更に、この空間の下にある空間で聞くことができる足音が生じる。空間音響または歩行中の音響および足音は、この場合、できる限りわずかに生じるように意図される。その目的は、ノイズによる住人へのできる限り少ない負荷を引き起こすためである。
【０００５】
ラミネートフロアおよびラミネートパネルは、内側の支持プレートと、大面積の上面および下面にコーティングとを有する複合材料である。この目的のために、通常はプレート状の木質材料、例えば高密度繊維材（ＨＤＦ）を、支持プレートとして使用する。このようなＨＤＦプレートの表面を種々の方法で加工する。その目的は、所望の製品特性、例えば、耐摩耗性、耐擦傷性、外部の衝撃的な作用力に対する耐性等を達成するためである。欧州規格ＥＮ１３３２９による用途クラスに従って、特に上記特性に関して、製品表面および全材料に高い要求がなされる。
【０００６】
ラミネートパネルおよびラミネートフロアは、例えば直接圧力による、材料に直接的に、あるいは事前に適用されるべき装飾紙に貼られるところの装飾層を有する。このような装飾紙を貼りつけの時点で、樹脂によって浸漬するか、あるいは浸漬しないことができる。装飾を支持プレートに直接押圧する際の直接圧力の場合に、このことを、支持プレートの適切な表面前処理後に、間接的な凹版印刷によって、またはデジタル印刷によって行なうことができる。
【０００７】
表面のシールを、同様に、種々の方法によって行なうことができる。例えばＵＶ放射線によって、または電子放射線によって、または自己触媒で硬化するところの塗料系、あるいは、樹脂を使用することができる。ここでは、要求および使用した技術に応じて、異なる塗料系を使用することができる。
【０００８】
樹脂によって表面をシールするために、通常は、メラミン樹脂を使用する。これらのメラミン樹脂を、例えば、オーバーレイ紙、液体オーバーレイまたは粉末オーバーレイとして、シールされる表面に塗る。硬化は、通常、温度および圧力の作用下でショートサイクルプレスで行なう。
【０００９】
支持プレートの下面を、簡略化された方法で、しかし、原理的には、装飾的な上面と同じ技術を用いてシールすることができる。上面に、更に、カウンタ層を貼ることができる。その目的は、かくして、ラミネートパネルまたはフロアラミネートにおける、上面のコーティングから由来するところの内部応力を低減するためである。
【００１０】
支持プレートの両面の仕上げは、従来通りに、２８００×２０７０ｍｍの辺を有するハーフフォーマットプレートで行なう。使用した製造設備に応じて、例えばかようなハーフフォーマットプレートの２倍または３倍の長さを有するいわゆる多倍長も使用することができる。
【００１１】
更なる処理の最中で、次に、プレートを分割して、個々のパネルを形成する。個々のパネルを側方結合して敷設複合材料を形成するために、例えば、ロック要素を有するさねはぎのように、結合手段を個々のパネルに取り付ける。ロック要素は、支持材料から一体的に作り出されており、あるいは、別個に部材として存在する。
【００１２】
かくして製造したラミネートパネルを、小分けにして包装し、包みを作る。その目的は、しばしば、ラミネートパネルの装飾面の一部を見ることができるためである。
【００１３】
メラミン機能でコーティングしたラミネートパネルは、通常、２つの著しい特性を有する。一方では、硬化の際に、凝縮過程による著しい体積収縮が生じる。この凝縮過程は、メラミン樹脂層中の著しい張力をもたらす。それ故に、機械的励起の際には、既述したノイズおよび音響的に知覚可能な振動が発生する。更に、メラミン樹脂は、例えば、他の合成樹脂との比較で、高められた熱伝導特性を有する。それ故に、フロアは、例えば裸足歩行中に冷たいと感じられる。何故ならば、身体の熱が、メラミン樹脂により強く放散されるからである。他の合成樹脂またはラミネートパネルの製造の際に使用される塗料および塗料系は、メラミン樹脂との比較で、より低い熱伝導特性を有する。それ故に、これらの材料で製造されたラミネートパネルからなるフロアは、それほど冷たいと感じられない。
【００１４】
しかしながら、顧客が、このような物品、例えばラミネートフロアパネルのための専門店で、これらの物理的および／または化学的特性を自身で確かめ、または調べることができず、かくして、場合によっては異なる製造者の異なる製品の特性を互いに比較することができない。顧客は、しばしば、曖昧な宣伝文句、例えば「良好な遮音性」に左右される。該宣伝文句は、異なる製品の比較を不可能にする。更に、このことを困難にするのは、知覚における非常に高い主観性による、まさしくこのような特性が、客観的に検出されにくい特性であることによって、である。しばしば、技術的特性の情報は、例えば試験証明書に基づいて記載されている。しかしながら、試験証明書は、しばしば、素人には分からないか、あるいは理解できないのである。それ故に、このような情報は、最終消費者にとって、しばしば余り役立たない。
【発明の概要】
【００１５】
従って、ラミネートパネルの少なくとも１つの少なくとも１つの物理的および／または化学的特性を少なくとも定性的に決定するための方法、しかもラミネートパネルに直接迅速に、かつ装置のための大きな費用なしに実施することができる方法を記述するという課題が、本発明の基礎になっている。
【００１６】
本発明は、提起された課題を、移動無線器によってラミネートパネルの少なくとも１つの物理的および／または化学的特性を少なくとも定性的に決定するための方法であって、以下の工程、すなわち、ａ）移動無線器をラミネートパネルの表面に設けること、ｂ）移動無線器に統合された計測器によって、少なくとも１つの物理的および／または化学的測定量を測定すること、ｃ）測定された少なくとも１つの物理的および／または化学的測定量から、少なくとも１つの物理的および／または化学的特性を少なくとも定性的に決定することを有する方法によって、解決する。
【００１７】
今日の移動無線器、特にスマートフォンは、移動無線器に統合された計測器によって可能にされるところの様々な機能を有する。計測器は、この場合、個々のセンサまたは測定センサとして、あるいは、複数の素子からなり、かつ例えば測定トランスジューサまたは計算器を有する配列された測定器として存在することができる。本発明に係わる方法では、これらの計測器を、ラミネートパネルの少なくとも１つの物理的および／または化学的測定量を測定し、かつ、かくして得られた測定値から、少なくとも定性的に、少なくとも１つの所望の物理的および／または化学的特性を決定するために、使用する。このためには、移動無線器をラミネートパネルの表面に設けるだけでよい。移動無線器がこの表面に設けられ、かつ、移動無線器が表面と接触し、従ってその表面を覆ってなる領域を、以下、接触面という。この場合、移動無線器、特にスマートフォンを、移動無線器が、移動無線器のディスプレイから離隔した側を向けて、ラミネートパネルに設けられているように、ラミネートパネルの表面に設けることは好都合である。このことを、特に容易に可能にするのは、移動無線器、特にスマートフォンが、ディスプレイから離隔した側で、ラミネートパネルの表面に載せることによって、である。
【００１８】
物理的および／または化学的測定量の測定を、例えば携帯電話のデータメモリに保存されているプログラムを介して、いわゆる「アプリ」を実行する。
【００１９】
物理的および／または化学的測定量を異なる時点で数回測定することが、特に有利であることが分かった。例えば、測定量の時間的推移を計算し、かつ、この推移から、少なくとも定性的に物理的および／または化学的特性を決定することができる。かくして、搬送変数、例えば、熱特性および音伝導特性も、例えば温度または音の時間的経過から決定することができる。
【００２０】
工程段階ａ）およびｂ）を、異なるラミネートパネルのために実行し、物理的および／または化学的特性を、異なるラミネートパネルにおいて測定した測定量の比較によって、定性的に決定する。このことは、特に、物理的および／または化学的特性の正確な数値が必要とされるのではなく、例えば異なる製造者のフロアラミネートパネルであってもよい複数のラミネートパネルの、その物理的および／または化学的特性を比較するのみでよいように意図されてなる場合に、有用である。この方法により、従って、購買決定の時点で、顧客自身によって、容易にかつ迅速に、ラミネートパネルのうちのどれが、例えば、最良の遮断性、足音遮断性、または電磁界の遮蔽性または種々の物質、例えばホルムアルデヒドまたは揮発性有機化合物（ＶＯＣ）の最低の排出値を有するかを確認することができる。この場合、正確な数値は、しばしば重要でなく、例えば、これらの測定値相互の比率のみが重要である。それ故に、顧客が購入決定を行なうためには、異なるラミネートパネルの比較で十分である。
【００２１】
当然ながら、物理的および／または化学的特性の定性的な決定を、例えば移動無線器のデータメモリに保存された値との比較によって行なうことも可能である。例えば、既に存在しかつ市場で得られるラミネートパネルの、例えば製造者のフロアラミネートパネルの、測定値または関連の物理的および／または化学的特性が、移動無線器、特にスマートフォンのデータメモリに保存されていることも考えられる。これらのデータを、アプリによって提供することは好ましい。今や物理的および／または化学的測定量を測定するとき、このことから、例えば、保存された値との比較によって、いずれの場合でも重要である物理的および／または化学的特性を定性的に決定することができる。かくして、只１つのラミネートパネルが本方法のユーザに提供されている場合でさえ、このラミネートパネルが、例えば、市場で入手可能ではあるが、例えば店では実際にない他のラミネートパネルよりも良い遮音性を有するか否かを定性的に決定することができる。かようにして、或るラミネートパネルの品質を、複数の他のラミネートパネルの品質に比較して、これらのラミネートパネルが存在する必要なしに、決定することができる。
【００２２】
物理的測定量が、接触面でのラミネートパネルの温度であり、移動無線器に統合された計測器が温度計であることは好ましい。特にスマートフォン、しかし他の移動無線器も、統合された温度計を有する。その目的は、ユーザに、現在の温度を呼出し可能に提供すことができるためである。この温度計を使用することができるのは、例えば、接触面でのラミネートパネルの温度をも決定するためである。
【００２３】
この温度を、例えば非接触で決定することができるのは、例えばスマートフォンが、非接触で温度を測定するための統合された高温計を有する場合に限る。温度の、できる限り信頼性かつ再現可能性のある測定を達成することができるように、例えば、隙間風によって生じることがある空気の移動が、温度測定に影響を有することがあるので、空気の移動を回避することを考慮するほうがよい。同じことが、特に有利なことに移動無線器の温度計でもって予め決定しかつ測定することができる周囲温度に当てはまる。かようにして、測定への影響を有することができる他の環境要因を、排除または決定し、かつ、測定値の測定または後の評価に含めることができる。
【００２４】
異なる時点で測定された温度から、ラミネートパネルの熱伝導特性および／または断熱特性を決定することは有利である。この目的のために、ラミネートパネルの温度を、温度測定前に増加させることができる。このことを、接触面上で行なうことができることは好ましい。しかしまた、接触面からの所定の間隔をあけての温度上昇を使用することができる。温度をこの点で増加させた後に、種々の連続的な時点で、移動無線器に統合された温度計によって温度を決定することができる。その目的は、接触面でのラミネートパネルの冷却を追跡しかつ文書化することができるためである。この減衰挙動からは、材料特性、例えばラミネートパネルの熱伝導特性および／または断熱特性を決定することができる。
【００２５】
物品の表面の接触面における温度を移動無線器中の温度上昇によって上昇させる。このことを、例えば、熱を発生させるために、移動無線器に統合された電気抵抗を使用することによって、詳しくは、例えば、電流を電気抵抗の中に導くことによって、達成することができる。当然ながら、移動無線器の機能を用いることによって、熱をラミネートパネルの表面に導入するという他の可能性も考えられる。例えば、プログラムを移動無線器で実行することができる。該移動無線器は、例えばデータ処理ユニットの加熱をもたらし、このデータ処理ユニットによって、接触面におけるラミネートパネルの表面も加熱される。移動無線器内の増大した温度によって、熱を表面の接触面に導入する。それ故に、表面が加熱される。
【００２６】
表面の加熱が完了した後に、温度を、異なる時点で測定し、かくして、ラミネートパネルの接触面の冷却を文書化する。
【００２７】
当然ながら、逆の方法も可能である。まず、ラミネートパネルの表面の接触面を加熱し、続いて、温度の複数回の測定によって、冷却プロセスを文書化する代わりに、ラミネートパネルの表面の接触面の加熱中も、温度を、異なる時点で測定することができる。しかしながら、かくして、各々のラミネートパネルの断熱特性および／または熱伝導特性を定性的のみならず、定量的にも決定するためには、夫々の方法で開発されかつ表面に導入された熱量を知る必要がある。このような開発されかつ表面に導入された熱量と、加熱プロセス中の温度推移とから、続いて、所望の測定量を算出することができる。
【００２８】
しかしながら、熱量が不明である場合でも、例えば、異なるラミネートパネルの比較は、この方法によっても行なえる。この目的のために、本方法を、異なるラミネートパネルで順々に行なう。加熱プロセスは、移動無線器の前述の機能によって、すべてのラミネートパネルに関し同じように実行される。かくして表面に導入された熱量の実際の数値が知られていないときでも、しかしながら、個々のラミネートパネルの表面には、常に、同量を導入し、それ故に、このことから、個々のラミネートパネルの算出される熱容量および／または断熱特性および／または熱伝導特性を容易に互いに比較することができることを、前提とすることができる。
【００２９】
どの方法で各々のラミネートパネルの温度を決定することに関係なく、外部パラメータ、例えば周囲温度および例えば空気の移動が、結果の比較可能性を保証することができるために、夫々のラミネートパネルにおける測定に関して同一または少なくとも非常に似ていることを考慮に入れねばならないことは好ましい。
【００３０】
当然ながら。ラミネートパネルの表面の接触面での温度の上昇を、移動無線器における温度上昇によって引き起こさないことも可能である。その代わりに、接触面に、または接触面から所定の間隔をあけて手を置くことによって、所定の時間に温度を増加させ、その後、移動無線器を接触面に設けることが有利であることが分かった。この場合、しかしながら、所定の時間のみならず、表面の接触面に移動無線器を設けるまで経過する時間も、結果の再現性を達成するために、できる限り正確に維持することは有利である。このことが必要であるのは、異なるラミネートパネルのためにこの方法を実行し、かつ、続いて得られた諸結果を比較することが意図されるとき、特にそのときである。この所定の時間をできる限り正確に守り、かつ測定することができるために、例えば、移動無線器を、例えばディスプレイを介して、既に経過したか、またはまだ残っている時間間隔を表示することができる。このことを、例えばカウントダウンの形で行なうことができる。
【００３１】
この方法の特別な実施の形態では、移動無線器の温度計を介して、手をラミネートパネルの接触面に載せる前には、出発温度と、手を載せた後には最終温度とのみを決定する。かくして、温度差を算出し、このことによって、物質的特性を決定することができる。
【００３２】
温度によって決定された物質的特性、例えば熱伝導特性および熱容量のほかに、特に、フロアラミネートパネルでは、音響特性は、顧客の購買決定にとって重大な意味がある。
【００３３】
物質的測定量が音響信号の音響であることは有利である。この音響は、移動無線器に統合されたマイクロフォンによって測定される。音響の測定前に、音響信号をラミネートパネルの中で発生させる。このことは特にフロアカバーリング、例えばフロアラミネートパネルにとっては、各々のフロアカバーリングの遮音特性および音伝導特性を決定するために、かつ、かくして、足音または室内音によるノイズ負荷を決定するために、好都合である。
【００３４】
有利な実施の形態では、音響信号を、移動無線器の振動機能によって発生させる。従来では、移動無線器および特にスマートフォンは、かような振動機能を有する。その目的は、例えば、音響信号なしでも、移動無線器の各々のユーザに、例えば着信アラートに注意させるためである。移動無線器を接触面に設けた後に、移動無線器のこの振動は、振動機能の開始の際に、ラミネートパネルへ伝達され、かくして、音響信号は、ラミネートパネルに発生されるか、あるいはラミネートパネルに励起または誘導される。
【００３５】
その代わりに、または追加して、音響信号を、接触面から所定の間隔をあけてラミネートパネルの上面および／または下面をノックすることによって、発生させることもできる。この場合、まず、移動無線器を接触面に設け、次に、例えば、指または物で表面をノックすることによって、音響信号をラミネートパネルに発生させる。この場合、再現可能な結果を得るために、ラミネートパネルの接触面から、所定の、できる限り正確に維持される間隔をあけて、ノックを発生させることは有利である。移動無線器に統合されたマイクロフォンを介して、ラミネートパネルにおいて音または音響信号を測定する。かくして測定された音響信号の音量を介して、特性、例えば遮音特性を決定することができる。同時に、音響信号が発生されたときに接触面からあけられた間隔が知られているとき、例えば、ラミネートパネルの音伝導特性および音伝導可能性に関する情報を供することができる。
【００３６】
この場合、音響信号は、周波数および振幅すなわち音の高さおよび音量によって記述されるところの音波からなる。音伝導特性および遮音特性の決定にとって、特に、音響信号の音量および音響の時間的経過が重要である。従って、ここに記述した方法で、特に、移動無線器に統合されたマイクロフォンを介して、特に音響信号の音量を測定し、かくして算出された測定信号を再処理する。特殊な用途のためには、このことを、例えば周波数に依存して実行することは好都合である。このことは、例えば周波数依存の遮音特性を決定し、詳しくは、励起されまたは誘導された音響信号が、所定の周半数または所定の周波数帯域の音波のみを有し、あるいは、移動無線器にあるマイクロフォンを用いて、所定の周波数のみを測定し、他方、他の周波数を有する音波を濾過して除去することを意味する。このことは、特に所定のソフトウェアによって制御される。当然ながら、これらの２つの可能性の組み合わせも考えられる。
【００３７】
音響特性を決定する際でも、異なるラミネートパネルのための本方法を連続的に実行することができる。それ故に、かくして算出された結果を互いに関連づけ、かつ互いに比較することができる。この場合でも、しばしば例えば音伝導性または遮音性の正確な数値が重要ではなく、却って、購買の決定を、しばしば、異なるラミネートパネルに関するこれらの特性の比較に依存させる。
【００３８】
ラミネートパネルの上面および／または下面へのノックによる音響信号の発生を、有利には１０ｃｍ未満、有利には８ｃｍ未満、特に５ｃｍ未満の間隔で実行することができる。この場合でも、音のまたは音響信号の音量を、異なる連続した時点で測定することができる。その目的は、例えば、発生された信号の残響を測定かつ検出することができるようにするためである。既に温度の測定の場合のように、音のまたは音響信号の測定のためにも、現存の製品およびラミネートパネルの基準値を、例えばアプリによって提供し、移動無線器の電子メモリに保存し、かつ、測定された測定値等と、所定の物理的特性との比較のために、使用することができる。
【００３９】
かようにして、異なる時点で測定された音から、または音響信号の他の測定値から、ラミネートパネルの音伝導特性および／または遮音特性を決定することができる。
【００４０】
温度および音に依存する物理的および／または化学的特性のほかに、所定の用途のためには、ラミネートパネルが、例えば、磁界を遮蔽することができることは利点である。
【００４１】
物理的測定量が、移動無線器に統合された磁力計によって測定される磁界強度であることは好ましい。しばしば移動無線器および特にスマートフォンに統合されたコンパスは、磁力計を含む。この磁力計は、地球の磁場の特性、例えば磁場の方向を測定し、かつ各々の方位を決定する。この目的のために移動無線器に含まれる、磁界強度および磁界方向を測定するための磁力計を、本方法では、磁界強度を物理的測定量として測定するために、使用する。例えば、ラミネートパネルの磁界に対する遮蔽性を決定するために、磁界強度を物理的測定量として一度測定するのは、移動無線器がラミネートパネルの接触面に設けられているときである。移動無線器が接触面に設けられていないときは、第２の測定を実行する。２つの磁界強度の差は、各々の物品の遮蔽性の尺度である。この場合でも、しばしば磁界強度の実際の数値は重要でない。むしろ、磁界の遮蔽性においても、複数のラミネートパネル同士の比較が重要である。それ故に、本方法を、この場合でも、複数の異なるラミネートパネルを用いて実行し、その都度算出された遮蔽性を比較することができる。この目的のために、ラミネートパネルなしの比較測定は不要である。
【００４２】
スマートフォンのコンパス機能のために地球磁場の方向を決定し、かくして磁北極を算出し、他方、ここに記載した方法の実施のためには、特に、磁界強度を決定し、かつ、異なる測定のために互いに関連づけねばならない。この目的のために、比較されるべきラミネートパネルを同位置で測定し、かくて、結果の比較可能性を達成するほうがよい。例えば、ラミネートパネルを、異なるデパートおよび建築資材販売店で互いに比較するとき、各々の建物の異なる構造形態により、測定結果の変化が生じることがある。例えば、建築資材販売店で、下では補強コンクリート製の天井を有する地下室が設けられているとき、この配置によって、地球磁界を既に遮蔽することができ、他方、このことは、例えば地下室のない建物には該当しないし、あるいは、地下室のある建物にもそれほど該当しない。測定の比較可能性は、これらの状況の正確な知識なくしては難しいか、あるいは不可能である。個々のラミネートパネルを同位置で測定する場合にはじめて、かくして得られた測定結果の比較可能性が与えられる。
【００４３】
居住空間で例えば床材または壁装材として使用するように意図されるところの、特に、ラミネートパネルに関して、かようなラミネートパネルの化学的特性を知ることは、最終消費者にとって、非常に重要である。
【００４４】
この場合、少なくとも１つの物理的および／または化学的測定量を測定する際に、ラミネートパネルからガス放出される物質量を測定することは、有利である。この物質量は、例えば、ホルムアルデヒド、あるいは揮発性有機化合物（ＶＯＣ）であってもよい。当然ながら、場合によってはラミネートパネルからガス放出することがある、他の物質も考えられる。
【００４５】
特に、健康に有害な物質に関しては、各々のラミネートパネルが、この物質のできる限り少量を放出することが有利である。従って、かようなラミネートパネルの製造者が、ガス放出量ができる限り少ないことを引き起こすので、ここに記載した方法の測定精度を高めるために、例えば温度を、少なくともラミネートパネルの上面の接触面における温度、従ってまた一時的に各々の物質のガス放出量を同様に増加させることは有利である。このことによって達成されるのは、放出された物質の測定量が信頼がありかつ正確な測定が可能であるほどに大きいことである。同時に、ラミネートパネルの上面の接触面における温度を測定するとき、この場合でも、場合によっては異なる製造者の異なるラミネートパネルが、うまく互いに比較される。
【００４６】
本発明に係わる方法を用いて決定することができる、ここに記載した物理的および／または化学的特性は、ここに記載した方法の典型的な実施の形態にすぎない。特に、更なる物理的および／または化学的特性を決定することができる。
【００４７】
更に、上記特性の幾つかを同時に決定することが可能である。何故ならば、移動無線器に存在するその都度使用される計測器が、しばしば別々に動作し、更に、夫々の物理的および／または化学的測定量が互い影響を与えず、あるいは、有利に影響を与えるからである。既述のように、ガス放出物質の量の測定にとって、特に接触面におけるラミネートパネルの温度を決定することは有利である。同時に、例えば磁力計によっても、磁界強度を決定することができるであろう。種々の物理的および／または化学的測定量は、互いに影響を与えない。これに対し、音響信号の音響測定または音量の決定は、場合により、ラミネートパネルにおいて発生または誘発されることが必至であるところの妨害振動の故に、他の特性の場合に決定された測定値に影響を与えることなしには、すべての他の測定値と組み合わせることができない。
【００４８】
移動無線器がスマートフォンであり、および／またはラミネートパネルがフロアパネルであることは有利である。
【００４９】
フロアパネルに関するここに記載された方法を、今、記述したが、該方法は、他のパネルにも考えられるし、かつ実施され得る。従って、ここに記載した方法を用いて、ラミネートパネルの異なる物理的および／または化学的特性を、スマートフォンによって、迅速かつ容易に決定する。その目的は、個々のユーザにとって、装置に関し非常に少ない労力が生じ、ほぼ追加のコストが生じないようにするためである。
【００５０】
当然ながら、本発明に係わる方法は、記載した実施の形態に限定されない。多くの移動無線器、特にスマートフォンは、更なる測定量を記録し、かくして、ラミネートパネルの異なる物理的特性を決定することができるために、用いるところの更なる計測器を有する。今日の移動無線器は、例えばカメラを備える。カメラを用いて、例えばラミネートパネルの装飾を写真に取り、かつ、記録する。その目的は、該装飾を、例えば、他のラミネートパネルから記録されたところの他の装飾と、容易に比較することができるからである。例えば、この装飾をどの木材に似せて作るように意図されるかを確認する際の、装飾の認識も可能である。この目的のために、携帯電話のデータメモリに、種々の木材タイプの木目模様および／または色および／または色分布のデータレコードを保存するほうがよい。これらのデータレコードを、写真に取った装飾と比較することができる。
【００５１】
写真に取ったこのような装飾によって、例としては、プリントの品質、例えば、付されたプリントの解像度も、検査し、決定し、かくして、他のラミネートパネルの所定のプリント品質と比較することができる。かくして記録された種々の装飾の色の決定および色の比較も可能である。ラミネートパネルをしばしばフロア用に用いる。該フロアを、例えば部屋または家屋の改築の際に新しくするように意図される。この場合、しばしば、既存の家具を更に用いる。その目的は、既存の家具が、ラミネートパネルの選択された装飾に色彩的に合うことが、美的な理由から有用かつ望ましいためである。木材の同一の種類の選択、あるいは、家具およびラミネートパネル用の木材の同一の種類の模倣の選択は、この場合、しばしば不十分である。何故ならば、ここでも、装飾の色および構造における大きな差が存在し得るからである。従って、ここに記載したアプリを用いて、例としては、家具類、例えばギャビネットまたはテーブルを写真に取り、かつ、例えば主要な色または色濃度を決定することが可能である。同じことを、ラミネートパネルで行なうことができる。それ故に、かくして記録された複数の色を互いに比較することができる。
【００５２】
更に、例えば、ラミネートパネルが包装されているパッケージ、あるいはラミネートパネル自体に、チップ、例えばＲＦＩＤチップを備えることができる。該チップは、例えば移動無線器から放出されることができる放射された電磁放射線に応答する。ＲＦＩＤチップはかくして作動され、建築資材販売店または大型デパートにおける、例えば、製品の詳細、しかしまた、使用可能度、引き渡し期限または製品位置に関する情報を携帯電話に伝達することができる。従って、ラミネートパネルに関する更なる情報を、スマートフォンまたは携帯電話によって確認することができる。
【００５３】
プログラムコード手段を有する、本発明に係わるコンピュータプログラムが、特に、機械読み取り可能な媒体上に保存されており、ここに記載された方法を実施するために構成されているのは、コンピュータプログラムが移動無線器のデータ処理ユニットで実行するときである。該データ処理ユニットは、特に、スマートフォンのデータ処理手段であってもよい。コンピュータプログラムは、スマートフォンまたは他の移動無線器の電子データメモリに保存されている。このコンピュータプログラムを、例としては、例えばタッチスクリーンであってもよい操作要素を介して、開始させることができる。
【００５４】
いわゆる「アプリ」として設計されていてもよいコンピュータプログラムを、中央サーバ上に、保存し、例えばダウンロードのために利用することができる。
【００５５】
本発明に係わる移動無線器、特にスマートフォンは、統合された温度計および／または統合されたマイクロフォンおよび／または、例えばコンパス機能のための統合された磁力計および／または他の測定手段および／またはカメラおよび先行の請求項のいずれか１項に記載の方法を実施するために設けられている電気制御手段を有する。対応の移動無線器が、電子データメモリおよび電子データ処理手段を有することは好ましい。電子データメモリには、プログラム、いわゆるアプリが保存されていることは有利であり、該アプリは、例えば、無料または有料でダウンロードすることができる。このプログラムは、ここに記載した方法が実施されるように、移動無線器の電子データ処理手段で実行される。
【００５６】
本発明に係わる方法および／または本発明に係わる移動無線器によって、従って、異なるラミネートパネルに関する、製品に固有な情報が容易に収集かつ保存される。これらの情報を、連続するプログラムでの処理のために使用することができるし、あるいは、例えば、データバンクに保存することができる。かようにして、種々のディーラにおいて、評価および検査された製品を、後の時点で、落ち着いて互いに比較することができる。その目的は、購買決定を、より良いかつできる限り客観的な基準に置くことができるためである。この目的のために、複数のディーラのうちの１つのディーラが各々の売り場に存在することは、不要である。
【００５７】
プログラムを一度移動無線器に保存した後に、ユーザにとっては、更なる費用は生じない。このようなラミネートパネルの製造者は、アプリ、すなわち、電子データプログラムを例えば無料で提供することができる。それ故に、移動無線器のユーザのために追加の費用は全然生じない。アプリの提供がなければ、素人にとっては評価が難しいところの、各々のラミネートパネルの物理的および／または化学的特性を、かようにして容易かつ確実に客観的に互いに比較することができる。異なる製造者の、場合によっては曖昧なかつ不正確な宣伝文句にもはや頼る必要はない。
【００５８】
原理的には、ラミネートパネルの各々の物理的および／または化学的特性に関するこのような方法は、考えられる。かような特性に加えて、移動無線器に統合された計測器によって測定することができるところの対応の物理的および／または化学的測定量がある。この点では、ここに記載された測定量は、温度、音または音量および磁界強度ならびにガス放出性または揮発性の物質、例えばホルムアルデヒドまたはＶＯＣの量は、例として解釈するのであって、限定的に解釈すべきではない。スマートフォンまたは他のタイプの移動無線器のための別個の計測器モジュールを備え ことも考えられる。これらのモジュールは、対応のデータインタフェースを介して移動無線器に接続させることができる。それ故に、本方法を、物理的および／または化学的特性に関し実施することができる。該特性は、製造者側で移動無線器に供給された計測器によって検出不可能である。このような計測器も、本発明の趣旨では、移動無線器に統合されたと見なす。物理的および／または化学的測定量の、計測器によって記録された測定値を、移動無線器に伝達し、かつ、該移動無線器の中で更に処理することができてなることのみが重要である。
【００５９】
対応の物理的および／または化学的測定量の各々の測定が、この場合、アプリ作動後に、時間的遅延で、移動無線器の中で生じる。その目的は、操作作用を排除するためである。
【００６０】
以下、図面を参照して、本発明の実施の形態をより詳細に説明する。
【図面の簡単な説明】
【００６１】
【図１】ラミネートパネルの移動無線器の略図を示す。
【発明を実施するための形態】
【００６２】
図１は、複数の異なった層からなるラミネートパネル２を示す。ラミネートパネル２は、支持プレート４を有し、この支持プレート４の表面には、例えば装飾層６およびその上には耐摩耗性の層８が設けられている。耐摩耗性の層８は、ラミネートパネルの表面１６を形成する。支持プレートの、装飾層６と反対にある側には、カウンタ層１２が設けられている。このカウンタ層１２によって、支持プレート４の上面および下面が、設けられた種々の層によって、異なった引張り荷重に晒されることが、防止される。該引張り荷重が生じれば、ラミネートパネル２の歪み、いわゆるカッピングをもたらすだろう。
【００６３】
ラミネートパネル２の表面１０には、ディスプレイ１６を有する移動無線器１４が設けられている。移動無線器１４は、ディスプレイ１６から離隔した側で、ラミネートパネル２の表面１０に設けられている。この場合、移動無線器１４がラミネートパネル２の表面１０上に載置されれば、十分である。
【００６４】
移動無線器１４の内部にデータ処理ユニット１８およびデータメモリ２０があることが略示されている。データメモリ２０には、プログラム、いわゆるアプリが保存されている。該アプリは、データ処理ユニット１８が本発明に係わる方法を実行することを可能にする。
【００６５】
図１に示した実施の形態で、送信器２２が略示されている。該送信器は、物理的および／または化学的特性の、第１の矢印２４によって示されている状態変化を、ラミネートパネル２において引き起こす。状態変化は、例えば、振動ユニットによって引き起こされる音響信号、あるいは、例えば電流が貫流する電気抵抗によって引き起こされる温度上昇であってもよい。しかしまた、他の状態変化も考えられる。当然ながら、該状態変化を、移動無線器１４によって発生させる必要はない。
【００６６】
ラミネートパネル２は、この状態変化に反応する。このことは、第２の矢印２６によって示されている。ラミネートパネル２のこのような反応は、計測器２８によって検出される。送信器２２によって引き起こされる状態変化が、例えば、音響信号であるとき、計測器２８は、例えばマイクロフォンである。送信器２２によって、例えば、ラミネートパネル２における或る箇所の温度が変化されるとき、計測器２８が温度計であることは有利である。送信器２２によって引き起こされる状態変化を計測器２８によって検出することができることは、重要である。かくして算出された値を用いて、データ処理ユニット１８において、本方法を実施し、かくして、ラミネートパネル２の物理的特性を決定(bestueckt)することができる。
以下に、出願当初の特許請求の範囲に記載の事項を、そのまま、付記しておく。
［１］  移動無線器（１４）によって、ラミネートパネル（２）の少なくとも１つの物理的および／または化学的特性を少なくとも定性的に決定するための方法であって、該方法は、以下の工程、すなわち、
ａ）前記移動無線器（１４）を前記ラミネートパネル（２）の表面（１０）に設けること、
ｂ）前記移動無線器（１４）に統合された計測器（２８）によって、少なくとも１つの物理的および／または化学的測定量を測定すること、
ｃ）前記測定された少なくとも１つの物理的および／または化学的測定量から、前記少なくとも１つの物理的および／または化学的特性を少なくとも定性的に決定すること、
を有する。
［２］  前記少なくとも１つの物理的および／または化学的測定量を、異なる時点で、数回測定することを特徴とする［１］に記載の方法。
［３］  異なるラミネートパネル（２）のための前記工程ａ）およびｂ）を実行し、かつ、前記少なくとも１つの物理的および／または化学的特性を、異なるラミネートパネル（２）において測定された複数の物理的および／または化学的測定量の比較によって、少なくとも定性的に決定することを特徴とする［１］または［２］に記載の方法。
［４］  前記測定された物理的測定量は、前記移動無線器（１４）が前記表面（１０）と接触してなる接触面おける前記ラミネートパネル（２）の温度であること、および前記移動無線器（１４）に統合された前記計測器（２８）は、温度計であることを特徴とする［１］ないし［３］のいずれか１項に記載の方法。
［５］  前記ラミネートパネル（２）の、異なる時点で測定された温度から、前記ラミネートパネル（２）の熱伝導特性および／または断熱特性を決定することを特徴とする［４］に記載の方法。
［６］  前記接触面における前記ラミネートパネル（２）の温度を、前記少なくとも１つの物理的および／または化学的測定量の測定前に、増加させることを特徴とすることを特徴とする［１］ないし［５］のいずれか１項に記載の方法。
［７］  前記接触面における前記ラミネートパネル（２）の温度を、前記移動無線器（１４）の温度を増加させることによって、増加させることを特徴とする［６］に記載の方法。
［８］  前記ラミネートパネル（２）の前記接触面における温度を、所定の時間に手を前記接触面上に置くことによって、増加させ、次に、前記移動無線器（１４）を前記接触面に設けることを特徴とする［６］または［７］に記載の方法。
［９］  前記測定された物理的測定量は、前記移動無線器（１４）に統合されたマイクロフォンによって測定される音響信号の音響であり、前記音響の測定前に、前記音響信号を、前記移動無線器（１４）中で発生させることを特徴とする［１］ないし［８］のいずれか１項に記載の方法。
［１０］  前記音響信号を、前記移動無線器（１４）の振動機能によって発生させることを特徴とする［９］に記載の方法。
［１１］  前記音響信号を、前記接触面から所定の間隔をあけて、前記ラミネートパネル（２）の上面および／または下面へのノックによって発生させることを特徴とする［９］または［１０］に記載の方法。
［１２］  異なる時点で測定された前記音響から、前記ラミネートパネル（２）の音伝導特性および／または遮音特性を決定することを特徴とする［１０］または［１１］に記載の方法。
［１３］  前記少なくとも１つの物理的および／または化学的測定量を測定する際に、前記ラミネートパネル（２）からガス放出する物理量を測定することを特徴とする［１］ないし［１２］のいずれか１項に記載の方法。
［１４］  特に機械読み取り可能媒体上に保存された、プログラムコード手段を備えたコンピュータプログラムであって、該コンピュータプログラムは、このコンピュータプログラムが移動無線器のデータ処理ユニットで実行するとき、［１］ないし［１３］のいずれか１項に記載の方法を実施するために構成されている。
［１５］  統合された温度計および／または統合されたマイクロフォンおよび／または統合されたコンパスおよび/またはカメラおよび／または他の計測器、および［１］ないし［１３］のいずれか１項に記載の方法を実施するために設けられている電気制御装置を有する移動無線器（１４）、特にスマートフォン。
【符号の説明】
【００６７】
２  ラミネートパネル
４  支持プレート
５  装飾層
８  耐摩耗性層
１０  表面
１２  カウンタ層
１４  移動無線器
１６  ディスプレイ
１８  データ処理ユニット
２０  データメモリ
２２  送信器
２４  第１の矢印
２６  第２の矢印
２８  計測器
【図１】
0006359648.tif 000002